(57)【要約】【課題】スピーカを上または下向きに筐体に取付けた装置において、前記スピーカの振動を前記筐体に伝えることを抑制する。また、スピーカの脱落を防止する。【解決手段】  上下に振動するスピーカを備えるスピーカ部と、前記スピーカ部が固定された筐体と、前記スピーカ部と前記筐体との間に挟まれた弾性部材とを備える音響装置であって、前記スピーカ部は下方に突出する柱状の支持柱を備え、前記筐体は、第１筐体と第２筐体とから構成され、前記弾性部材は水平方向に溝が形成され、垂直方向に貫通孔が形成された形状であって、前記支持柱は前記貫通孔に挿通され、前記第１筐体と前記第２筐体とが前記溝に嵌合して、前記弾性部材を挟持することを特徴とする音響装置。【選択図】図１
2011160319.tif 000002
【特許請求の範囲】
【請求項１】
スピーカを備えるスピーカ部と、前記スピーカ部が固定された筐体と、前記スピーカ部と前記筐体との間に挟まれた弾性部材と弾性部材を固定する第２部材とを備える音響装置であって、
前記スピーカ部は下方に突出する柱状の支持柱を備え、
前記筐体は第１部材を備え、
前記弾性部材は水平方向に溝が形成され、垂直方向に貫通孔が形成された形状であって、
前記支持柱は前記貫通孔に挿通され、
前記第１部材と前記第２部材とが前記溝に嵌合し、前記弾性部材を挟持して固定する
ことを特徴とする音響装置。
【請求項２】
前記支持柱の突出する位置は、前記スピーカ部の重心より上にあることを特徴とする請求項１記載の音響装置。
【請求項３】
前記第１部材と前記第２部材とが前記弾性部材を挟持する部位に隣接して前記第１部材と前記第２部材とを固定する固定手段を備えることを特徴とする請求項１記載の音響装置。
【請求項４】
請求項１記載の音響装置を備える表示装置であって、前記筐体が表示装置の筐体であることを特徴とする表示装置。
【発明の詳細な説明】
【技術分野】
【０００１】
本発明は、筐体にスピーカを固定する技術に関する。
【背景技術】
【０００２】
図８は特許文献１記載の表示装置におけるスピーカユニット１２０の取り付け状態を示す斜視図であり、パネル部１２１の背面下側の左右２カ所にはスピーカユニット１２０が取り付けられている。スピーカユニット１２０はアングル１２２を介在させてパネル部１２１に取り付けられている。トレイ形状のアングル１２２には矩形状の鍔部１２８が延設されている。鍔部１２８の上下２カ所にはスピーカユニット１２０を固定するためのネジ孔（図示せず）が設けられている。スピーカユニット１２０は、エンクロージャ１２３、スピーカ１２５、フック１２６を含んで構成される。
【０００３】
スピーカ１２５を収容するエンクロージャ１２３はアングル１２２を介してパネル部１２１の背面に固定される。エンクロージャ１２３の側面１２４の中段近傍左右には、平面視Ｕの字型のフック１２６が鍔部１２８の延設方向と平行に突設されている。フック１２６は左側の側面１２４に２カ所、右側の側面１２４に２カ所、計４カ所設けられており、ゴムにより周囲が覆われたダンベル状のゴムブッシュ（緩衝部材）１２７に係止される。
【０００４】
エンクロージャ１２３のアングル１２２への取り付けは、ゴムブッシュ１２７をフック１２６へ係止することによって行う。そしてゴムブッシュ１２７の中心軸が鍔部１２８のネジ孔の中心に一致するよう、アングル１２２の鍔部１２８上にエンクロージャ１２３を載置する。次いで、ネジ（図示せず）を背面側（図中右側）から正面側（図中左側）へ向けてゴムブッシュ１２７内部を貫通させ、鍔部１２８上のネジ孔に螺合することで、アングル１２２の鍔部１２８上への固定が完了する。これにより、スピーカ１２５による振動はゴムブッシュ１２７により吸収される。
【０００５】
エンクロージャ１２３の底面１２９中央付近には、スピーカ１２５が下向きに取り付けられている。このスピーカ１２５は、放音面がパネル部１２１の背面に係る平面に対して略垂直であり、音声は下向きに出力される。
【０００６】
特許文献２には、テレビジョン受像機の底面部にスピーカ装置を取付ける構造が開示されている。
【０００７】
図９に特許文献２記載のテレビジョン受像機の断面図を示す。図９に示すテレビジョン受像機は、前枠本体１００と、スピーカ装置１０３と、後部筐体１０１と、上記前枠本体１００と後部筐体１０１とスピーカ装置１０３とを結合する結合具１０２とを備えるテレビジョン受像機である。上記前枠本体１００にはコ字状の嵌合部を設けられ、上記後部筐体１０１には嵌合用舌片を設けられ、上記結合具１０２には上記前枠本体１００の嵌合部と嵌合する舌片と上記後部筐体１０１の嵌合用舌片を挟持する挟持部と上記スピーカ装置１０３の前部をネジ止めするネジ孔を設けられている。
【０００８】
上記スピーカ装置１０３には上記連結具１０２のネジ孔を介してネジ１０４によってネジ止めされるネジ孔を設けられている。ネジ１０４によってスピーカ装置１０３は、結合具１０２に螺着されることで、スピーカ装置１０３は固定される。なお、弾性体１０５が前記ネジ孔に嵌合されている。また、スピーカ（図示せず）はスピーカ装置１０３の内部に上向きに固定されている。
【先行技術文献】
【特許文献】
【０００９】
【特許文献１】特開２００８−２１１３８１公報
【特許文献２】実公平６−１７３８０公報
【発明の概要】
【発明が解決しようとする課題】
【００１０】
特許文献１に記載の表示装置においては、スピーカ１２５の振動をゴムブッシュ１２７で十分に吸収することができず、パネル部１２１に伝えてしまい、ビビリ音などの不快な異音を発生させやすいという欠点がある。
【００１１】
図１０を用いて、スピーカ１２５の振動をゴムブッシュ１２７が十分に吸収することができない理由を説明する。図１０は鍔部１２８、ゴムブッシュ１２７、フック１２６、ネジ１３１の側方断面図である。スピーカ１２５は下向きに取付けられているので、スピーカ１２５を動作させると、スピーカ１２５を収容するエンクロージャおよびエンクロージャに突設されたフック１２６はスピーカの上下方向１３０に振動する。対して、鍔部１２８に螺合されたネジ１３１は振動しないので、ゴムブッシュ１２７のうち、フック１２６とネジ１３１とに上下から挟まれた部位１２７ａには、圧縮応力がかかる。ゴムは圧力による体積変化が少ない素材である。フック１２６の振動により、ゴムブッシュの一部位１２７ａに上下から圧縮応力がかかっても、横方向にはゴムブッシュ１２７の他の部位があり、ゴムブッシュの一部位１２７ａは変形することができない。従って、振動を十分に吸収することができず、鍔部１２８に振動を伝えてしまう。
【００１２】
また、特許文献２記載のテレビジョン受像機の場合、スピーカ装置１０３が下方に脱落しやすいという欠点がある。スピーカ装置１０３は重力により下方に引っ張られているので、ネジ１０４とスピーカ装置１０３の間には上下方向に引っ張られる力、すなわちネジ１０４を緩める力が常にかかっている。また、スピーカ装置１０３は振動するものであるので、スピーカ装置１０３の振動に伴いネジ１０４も振動する。ネジ１０４を緩める方向に力がかかったままで、振動を与えられると、ネジ１０４は少しずつ緩み、長い期間のうちには脱落する可能性がある。
【００１３】
本発明は、上記の問題に鑑みてなされたものであり、スピーカを上または下向きに筐体に取付けた装置において、前記スピーカの振動を前記筐体に伝えることを抑制することを目的とする。また、スピーカの脱落を防止することを目的とする。
【課題を解決するための手段】
【００１４】
上記課題を解決するために、本発明に係る音響装置は、スピーカを備えるスピーカ部と、前記スピーカ部が固定された筐体と、前記スピーカ部と前記筐体との間に挟まれた弾性部材と弾性部材を固定する第２部材とを備える音響装置であって、前記スピーカ部は下方に突出する柱状の支持柱を備え、前記筐体は第１部材を備え、前記弾性部材は水平方向に溝が形成され、垂直方向に貫通孔が形成された形状であって、前記支持柱は前記貫通孔に挿通され、前記第１部材と前記第２部材とが前記溝に嵌合し、前記弾性部材を挟持して固定することを特徴とする。
【００１５】
また、前記支持柱の突出する位置は、前記スピーカ部の重心より上にあることを特徴とする。
【００１６】
また、前記第１部材と前記第２部材とが前記弾性部材を挟持する部位に隣接して前記第１部材と前記第２部材とを固定する固定手段を備えることを特徴とする。
【００１７】
また、本発明に係る表示装置は、本発明に係る音響装置を備える表示装置であって、前記筐体が表示装置の筐体であることを特徴とする。
【発明の効果】
【００１８】
本発明の音響装置によれば、スピーカが筐体に対し上方または下方に移動することを可能とし、スピーカの振動を筐体に伝えることを抑制することができる。
【００１９】
また、スピーカが筐体から脱落しない。
【図面の簡単な説明】
【００２０】
【図１】本実施の形態に係る音響装置の分解斜視図である。
【図２】本実施の形態の音響装置を斜視図である。
【図３】本実施の形態の音響装置に係る断面図である。
【図４】スピーカ部が振動によって上方に移動した瞬間における断面図である。
【図５】スピーカ部が振動によって下方に移動した瞬間における断面図である。
【図６】本実施例に係る表示装置の組立状態を示す模式的斜視図である。
【図７】本実施例に係る表示装置の組立状態を示す模式的斜視図である。
【図８】従来技術の表示装置を示す斜視図である。
【図９】従来技術のテレビジョン受像機を示す断面図である。
【図１０】従来技術の表示装置を示す断面図である。
【発明を実施するための形態】
【００２１】
以下、本発明に係る実施の形態を、図面を参照して詳細に説明する。
【００２２】
図１に本実施の形態に係る音響装置の分解斜視図を示す。本実施の形態の音響装置は、筐体１、第２部材２、スピーカ部３、弾性部材４、ねじ５から構成される。
【００２３】
スピーカ部３は、スピーカ３１を備える。スピーカ３１はスピーカ部３に上向きまたは下向きに固定されており、スピーカ３１はその動作時には、上下に振動する。また、スピーカ部３には、その重心より上方にあたる位置から水平方向に鍔部３２が延設し、さらに、鍔部３２から下方に向けて支持柱３３が突出する。支持柱３３の先端には先端突起３４が設けられている。先端突起３４の水平方向の寸法は、支持柱３３の寸法より大きい。
【００２４】
弾性部材４は、ゴム等の弾性を有する素材からなる。弾性部材４の外周には、水平方向に溝４２が形成されている。また、垂直方向に貫通孔４１が形成されている。貫通孔４１の寸法は、支持柱３３の寸法と同じかやや小さく形成されている。
【００２５】
筐体１は、スピーカ部３を支持する第１部材１１を備える。第１部材１１の先端は第１嵌合部１２となっている。第１嵌合部１２は、弾性部材４を挟持する部位である。また、第１嵌合部１２に隣接して、ネジ孔１４が形成された第１ボス１３が形成されている。第１ボス１３は、第１部材１１と第２部材２とを固定する固定手段である。
【００２６】
第２部材２は、第２嵌合部２２を備える。第２嵌合部２２は、弾性部材４を挟持する部位である。第２嵌合部２２に隣接して、ボス孔（図示せず）が中央に設けられた第２ボス２３が形成されている。第２ボス２３は、第１部材１１と第２部材２とを固定する固定手段である。
【００２７】
次に本実施の形態の音響装置に係る組立てについて説明する。本実施の形態の音響装置は、はじめに、スピーカ部３に弾性部材４を取付ける。具体的には、スピーカ部３の先端突起３４および支持柱３３を、弾性部材４の貫通孔４１に上方から挿入させて、下方より先端突起３４を突出させる。先端突起３４の水平方向の寸法は貫通孔４１より大きいが、弾性部材４は弾性を有する素材からなるため、貫通孔４１を先端突起３４より大きく拡張させることができ、貫通孔４１を通過させることができる。先端突起３４を下方の貫通孔より突出させた後の貫通孔４１の断面形状は、支持柱３３の断面形状まで収縮し、先端突起３４は弾性部材４の下面に係止され、固定される。
【００２８】
次に、第１嵌合部１２および／または第２嵌合部２２を溝４２に嵌合させ、第１部材１１と第２部材２とで弾性部材４を挟持し位置決めする。
【００２９】
第１部材１１と第２部材２とを固定するために、ネジ５を第２ボス２３のボス孔（図示せず）を貫通させネジ孔１４と螺合する。これにより、第１ボス１３と第２ボス２３とが固定され、第１部材１１と第２部材２とが一体となる。
【００３０】
図２に本実施の形態の音響装置を斜視図で示す。図２に示すように、弾性部材４の貫通孔４１（図示せず）にスピーカ部３の支持柱３３（図示せず）が挿通され、鍔部３２が弾性部材４の上に載る状態で固定され、ネジ５（図示せず）により一体となった第１部材１１と第２部材２とで弾性部材４が水平方向に挟持され、筐体１にスピーカ部３が固定される。
【００３１】
図３は、本実施の形態の音響装置に係る支持柱３３の軸とねじ５の軸とを含む平面における断面図である。スピーカ部３の鍔部３２から下方に突出する支持柱３３は、弾性部材４の貫通孔４１に挿通される。これにより、スピーカ部３と弾性部材４とが水平方向に関し固定される。また、弾性部材４の上方には、前記貫通孔４１より水平方向の寸法が大きい鍔部３２があるため、スピーカ部３が弾性部材４の上に載置される状態となり、スピーカ部３が弾性体４の下方に脱落することが無い。また、弾性部材４の下方には、前記貫通孔４１より水平方向の寸法が大きい先端突起３４があるため、スピーカ部３が弾性部材４の上方に脱離することが無い。
【００３２】
また、第１部材１１の第１嵌合部１２および／または第２部材２の第２嵌合部２２が、弾性部材４の溝４２に嵌合し、第１嵌合部１２と第２嵌合部２２とによって、第１筐体と第２筐体とからなる筐体が、弾性部材４を水平方向に挟持する。これにより、筐体に対し弾性部材４が水平方向に関し固定される。また、第１部材１１と第２部材２とが組立てによって一体となった状態において、第１嵌合部１２と第２嵌合部２２との距離は、弾性部材４の上部４３および下部４４における前記挟持方向の寸法より小さい。従って、弾性部材４が筐体から上ないし下に脱離・脱落することは無く、上下方向に関し固定される。
【００３３】
なお、スピーカ部３が振動してもスピーカ部３と筐体とが直接接触しないようクリアランスが設けられている。具体的には、弾性部材４の下方には、スピーカ部３の先端突起３４が突出するので、第１部材１１における第１嵌合部１２の下方には第１切り欠き１５が形成され、第２部材２における第２嵌合部２２の下方には第２切り欠き２５が形成されて、切り欠き１５および切り欠き２５によって開けられた空間が前記クリアランスとして機能する。
【００３４】
また、第１部材１１において、第１切り欠き１５の下方に隣接して第１ボス１３が形成され、同様に第２部材２において、第２切り欠き２５の下方に隣接して第２ボス２３が形成されている。第１ボス１３の軸の方向および第２ボス２３の軸の方向は、第１嵌合部１２と第２嵌合部２２とによって弾性部材４を挟持する方向と平行である。ネジ５は第２ボス２３のボス孔２４を貫通し第１ボスのネジ孔１４と螺合しており、これにより、第１ボス１３と第２ボス２３とが固定され、第１部材１１と第２部材２とが一体となっている。
【００３５】
本実施の形態の音響装置によれば、スピーカ部３が筐体に直接接触せず、弾性部材４を介して固定されるので、スピーカ部３が備えるスピーカ３１が発生させる振動を直接筐体に伝えることが無い。
【００３６】
図４にスピーカ部３が振動によって上方に移動した瞬間における弾性部材４周辺の断面図を示す。スピーカ部３が上方に移動することによって、鍔部３２、支持柱３３、先端突起３４が上方に移動する。これにより、先端突起３４と第１嵌合部１２とに挟まれた弾性部材の下部４４、および／または先端突起３４と第２嵌合部２２とに挟まれた弾性部材の下部４４が押し潰されて上下方向に収縮するとともに、下部４４の水平方向に伸長する。これにより、スピーカ部３が筐体に対し上方に移動することを可能とし、スピーカ部３の振動を筐体に伝えることを抑制する。また、スピーカ部３の振動エネルギーを弾性部材４の変形のために消費することによって、振動を減衰させる。さらに変形した弾性部材４は元の形状に復元しようとするので、スピーカ部３の位置を所定の範囲内に維持することができる。
【００３７】
図５にスピーカ部３が振動によって下方に移動した瞬間における弾性部材４周辺の断面図を示す。スピーカ部３が振動によって下方に移動した場合、鍔部３２と第１嵌合部１２とに挟まれた弾性部材の上部４３、および／または鍔部３２と第２嵌合部２２とに挟まれた弾性部材の上部４３が押し潰されて上下方向に収縮するとともに、下部４４の水平方向に伸長する。その効果は、スピーカ部３が振動によって上方に移動した場合と同様である。
【００３８】
本実施の形態の音響装置によれば、スピーカ部３が弾性体４の下方に脱落することが無く、かつ弾性部材４が筐体から上ないし下に脱離・脱落することは無いため、スピーカ部３が筐体から脱落することが無い。
【００３９】
また、本実施の形態の音響装置によれば、第１嵌合部１２と第２嵌合部２２とに隣接して、第１ボス１３と第２ボス２３とを備えるので、第１嵌合部１２と第２嵌合部２２とを強固に固定することができ、スピーカ部３の振動等によって、第１嵌合部１２と第２嵌合部２２との嵌合がずれたりゆがんだりすることが無く、弾性部材４を確実に挟持することができる。
【００４０】
なお、図１では、支持柱３３、貫通孔４１、溝部４２の水平方向断面を円として記載されているが、他の形状、例えば、矩形、長円形等であっても良い。
【００４１】
また、図１〜３では、第１ボス１３および第２ボス２３が、第１嵌合部１２および第２嵌合部２２の下方に配置される形態を記載しているが、第１ボス１３および第２ボス２３は、第１嵌合部１２および第２嵌合部２２の左右または上にあっても良い。
【００４２】
なお、本実施の形態の音響装置によれば、支持柱３３が突出する位置は、鍔部３２、すなわち、スピーカ部３の重心より上にあるので、鍔部３２によってスピーカ部３が吊り下げられた状態となっている。そのための、鍔部３２の下方にスピーカ部３の重心が来るように、鍔部３２を支点としてスピーカ部３を回転させる力が働くことになり、スピーカ部３の位置をより安定させることができる。これにより、スピーカ部３から発生する音の音質を一定に保つことができる。
【００４３】
また、図２および３の斜視図では、第１部材１１、第１嵌合部１２、第１ボス１３、第２部材２、第２嵌合部２２、第２ボス２３、鍔部３２、支持柱３３、弾性部材４、ねじ５がそれぞれ１つずつしか図示されていないが、１つのスピーカ部３が複数の支持柱３３および前記複数の支持柱３３に係る複数の鍔部３２を備えていても良い。その場合、本実施の形態の音響装置は前記複数の支持柱３３に対応する複数の弾性部材４を備えていても良く、第１部材１１および第２部材２は前記複数の弾性部材４に対応する複数の第１嵌合部１２および複数の第２嵌合部２２を備えていても良い。また、第１部材１１と第２部材２とは前記複数の第１嵌合部１２および前記複数の第２嵌合部２２に対応する複数の第１ボス１３および複数の第２ボス２３を備えていてもよい。その場合、本実施の形態を音響装置は前記複数の第１ボス１３および複数の第２ボス２３に対応する複数のねじ５を備える。また、筐体１は複数の第１部材１１を備えても良く、本実施の形態の音響装置は複数の第２部材２を備えていても良い。
【００４４】
１つスピーカ部３の固定に関し複数の弾性部材４によって固定することにより、より安定的に固定することができる。
【００４５】
また、本実施の形態に係る表示装置は、本実施の形態に係る音響装置を備える表示装置であって、前記筐体が表示装置の筐体（の一部）であってもよい。例えば、表示装置のフロントキャビネット（またはパネル部）を、第１部材１１を備える筐体１とし、表示装置のバックキャビネットを第２部材として、下方または上方に向けてスピーカ３１を備えるスピーカ部３を配置する表示装置として構成してもよい。これにより、スピーカ部３を固定するための固定手段を、フロントキャビネット（またはパネル部）とバックキャビネットとを固定するための手段として兼ねて用いることができ、部品点数、組立て工数の削減と表示装置の軽量化とに寄与することができる。
【実施例１】
【００４６】
図６は本実施例に係る音響装置である表示装置の組立状態を示す模式的斜視図である。表示装置はフロントキャビネット（前面筐体）６４、第２部材を備えるバックキャビネット（背面筐体）６２、フロントキャビネット６４とバックキャビネット６２との間に間挿される第１部材であるパネル部６３、及び、スピーカ部３を含んで構成される。なお、以下では表示装置を液晶ディスプレイであるものとして説明するが、プラズマディスプレイ、有機ＥＬ(electroluminescence)ディスプレイまたはＳＥＤ（Surface-conduction Electron-emitter Display）等の他の薄型ディスプレイであっても良い。
【００４７】
映像を正面に表示する矩形状のパネル部６３は、液晶基板、液晶基板を保持する保持枠体、液晶基板の背面に配置される光学シート、光学シートの背面に配置され複数の蛍光管を保持するバックライトホルダ及びバックライトホルダ（いずれも図示せず）を覆う矩形状のバックライトシールド６３３を重ね合わせたものである。バックライトシールド６３３の背面には回路基板及び電源基板等の電気部品６３１が取り付けられている。
【００４８】
表示装置の正面に設けられるフロントキャビネット６４は、パネル部６３の正面視における面積よりも少し小さい面積を有する長方形状の開口を有する。この開口の四方を覆うように、断面視がＬ字型の枠体が形成されている。フロントキャビネット６４の四隅には、図示しない係止手段が設けられており、ネジ等によりパネル部６３をフロントキャビネット６４に固定する。
【００４９】
バックキャビネット６２は、所定の奥行をもつスピーカ部３及び電気部品６３１を覆うべく、平面視が矩形状で、所定の深さをもつ皿形の形状をなす。バックキャビネット６２の正面はパネル部６３の正面視における面積よりも大きい面積を有する開口を有する。バックキャビネット６２は、パネル部６３を間に介在させてフロントキャビネット６４に取り付けられる。このようにしてスピーカ部３はパネル部６３はバックキャビネット６２との間に収容され、パネル部６３は、バックキャビネット６２とフロントキャビネット６４との間に収容される。
【００５０】
本実施例の表示装置の下部左右２カ所では、バックライトシールド６３３とバックキャビネット６２とにスピーカ部３が挟持され、固定される。スピーカ部３の左右には１つずつ、図１に示す鍔部３２が延設され、前記鍔部３２から支持柱３３が下方に突出する。また、パネル部６３の背面下部の左右２カ所には、それぞれ２つずつ、図１に示す第１嵌合部１２と第１ボス１３とが隣接されて設けられ、バックキャビネット６２の正面下部の左右２カ所には、それぞれ２つずつ、図１に示す第２嵌合部２２と第２ボス２３とが隣接されて設けられる。そして、図２に示す構成によってスピーカ部３がバックキャビネット６２とパネル部６３とに挟持され、固定されている。
【００５１】
スピーカ部３が備えるスピーカの放音面は、バックライトシールド６３３の背面に係る平面に略垂直となるよう取り付けられており、スピーカ部３からの音声は下方に向けて出力される。
【実施例２】
【００５２】
本実施はスピーカ部３をパネル部６３背面の上部左右２カ所に取り付ける形態に関する。
【００５３】
図７は本実施例に係る表示装置の組立状態を示す模式的斜視図である。本実施例の表示装置の上部左右２カ所では、バックライトシールド６３３とバックキャビネット６２とにスピーカ部３が挟持され、固定される。
【００５４】
スピーカ部３は、スピーカ３１、鍔部３２（図示せず）、支持柱３３（図示せず）先端突起３４（図示せず）、エンクロージャ３５、ウーハ用のダクト３５１を含んで構成される。スピーカ３１は音声が上方へ出力されるよう上向きにエンクロージャ３５に取り付けられている。スピーカ３１の放音面はパネル部６３の背面に係る平面に略垂直となるよう取り付けられる。
【００５５】
バックキャビネット６２の上部のスピーカ３１近傍にはスリット６２１、フレーム６２２及びルーバ６２３が設けられている。
【００５６】
スピーカ３１からの音声は放音面に対し垂直上方に出力される。そしてバックキャビネット６２上面に向かう音声は、スリット６２１を経てルーバ６２３により反射される。ルーバ６２３により反射された音声はパネル部６３の前方へ向けて放出される。エンクロージャ３５の上面にはウーハ用のダクト３５１が突設している。突設されるダクト３５１は、パネル部６３前方へ向けて９０度折れ曲がり、後方から前方に向けて所定長延設される。フロントキャビネット６４上側長辺には、ウーハ用開口部６４４が対称位置に設けられており、これらの外側の対称位置にはツイータ用開口部６４２が設けられている。なお、ウーハ用開口部６４４とツイータ用開口部６４２との間に放出孔を形成しても良い。
【００５７】
パネル部６３は、ダクト３５１他端がウーハ用開口部６４４と一致するようフロントキャビネット６４に取り付けられる。フロントキャビネット６４の上側長辺内壁には対称位置にツイータ６１２が取り付けられている。ツイータ６１２からの音声がツイータ用開口部６４２から出力されるよう、同位置に取り付けられる。ツイータ６１２及びウーハからの音声は、フロントキャビネット６４正面上側のツイータ用開口部６４２及びウーハ用開口部６４４からそれぞれ出力される。
【００５８】
本実施例の表示装置の上部左右２カ所では、バックライトシールド６３３とバックキャビネット６２とにスピーカ部３が挟持され、固定される。スピーカ部３の左右には１つずつ、図１に示す鍔部３２が延設され、前記鍔部３２から支持柱３３が下方に突出する。また、パネル部６３の背面上部左右２カ所には、それぞれ２つずつ、図１に示す第１嵌合部１２と第１ボス１３とが隣接されて設けられ、バックキャビネット６２の正面上部左右２カ所には、それぞれ２つずつ、図１に示す第２嵌合部２２と第２ボス２３とが隣接されて設けられる。そして、図２に示す構成によってスピーカ部３がバックキャビネット６２とパネル部６３とに挟持され、固定されている。
【００５９】
本実施例は以上の如き構成としてあり、その他の構成及び作用は実施例１と同様であるので、対応する部分には同一の参照番号を付してその詳細な説明を省略する。
【産業上の利用可能性】
【００６０】
また、本実施の形態の音響装置は、スピーカを備える装置であれば、他の用途の装置であっても適用することができる。
【符号の説明】
【００６１】
１  筐体
２  第２部材
３  スピーカ部
４  弾性部材
５  ねじ
１１  第１部材
１２  第１嵌合部
１３  第１ボス
１４  ネジ孔
２２  第２嵌合部
２３  第２ボス
２４  ボス孔
３１  スピーカ
３２  鍔部
３３  支持柱
３４  先端突起
３５  エンクロージャ
４１  貫通孔
４２  溝
４３  上部
４４  下部
６２  バックキャビネット
６３  パネル部
６４  フロントキャビネット
【図１】
2011160319.tif 000003
【図２】
2011160319.tif 000004
【図３】
2011160319.tif 000005
【図４】
2011160319.tif 000006
【図５】
2011160319.tif 000007
【図６】
2011160319.tif 000008
【図７】
2011160319.tif 000009
【図８】
2011160319.tif 000010
【図９】
2011160319.tif 000011
【図１０】
2011160319.tif 000012